(57)【要約】      （修正有）【課題】カタログ式ギフトファイルにより商品を選んだ後において、ルーズリーフバインダーそのまま利用して、スケジュール手帳やアドレス手帳など各種の手帳の他に、名刺入れやアルバムとして再利用できるカタログ式ギフトファイルを提供する。【解決手段】商品の写真や絵などの表示部１３、商品説明などの情報記載部１４および申し込み番号１５などが印刷された複数枚の商品カード３と、その商品カード３を脱着自在に綴じるルーズリーフバインダー２とで構成する。ルーズリーフバインダー２が皮革製または合成皮革製であり、商品選択後、商品カード３を所望のリファイル４に差し替えるように構成する。【選択図】図５
0003125541.tif 000002
【実用新案登録請求の範囲】
【請求項１】
商品の写真や絵などの表示部、商品説明などの情報記載部および申し込み番号などが印刷された複数枚の商品カードと、その商品カードを脱着自在に綴じるルーズリーフバインダーとで構成されたカタログ式ギフトであって、ルーズリーフバインダーが皮革製または合成皮革製であり、商品選択後、商品カードを所望のリファイルに差し替えるように構成したことを特徴とするカタログ式ギフトファイル。
【請求項２】
前記ルーズリーフバインダーは、表表紙に透明の窓部を設けてあることを特徴とする請求項１に記載のカタログ式ギフトファイル。
【請求項３】
前記リファイルは、ノートリファイル、スケジュールリファイル、ダイアリーリファイル、メモリファイル、アドレスリファイルなどの帳票類であることを特徴とする請求項１または２に記載のカタログ式ギフトファイル。
【請求項４】
前記リファイルは、名刺、写真、各種カードなどを収納する袋部を設けたカードホルダーリファイルであることを特徴とする請求項１または２に記載のカタログ式ギフトファイル。
【考案の詳細な説明】
【技術分野】
【０００１】
本考案は、結婚や出産のお祝いの返し、あるいは葬儀の香典の返しなどに用いられているカタログ式ギフトに関するもので、さらに詳しくは、商品選択した後、各種手帳やアルバムとして再利用できる有益なカタログ式ギフトファイルに関するものである。
【背景技術】
【０００２】
近時、結婚、出産のお祝いを始め、入学、卒業、就職など節目のお祝いごとから新築祝いや快気祝いなど慶事のさまざまなお祝いのお返し、あるいは葬儀の香典の返しや法要の引出物など弔事の返礼品などとしてカタログ式ギフトが用いられている。
【０００３】
このカタログ式ギフトは、贈り主が商品を選ぶのでなく、ギフトの受取人がカタログにある好きな品物を選ぶものであり、贈り主は一人一人の品選びに頭を悩ますことがなく、一方、贈られた方も、好みやライフスタイル合った品物を選べる利点があることから、年々増加する傾向にある。
【０００４】
このカタログ式ギフトには次のようタイプのものがある。その１つは、商品カードが１枚ずつ個別になっていて、複数枚の商品カードが申し込み葉書と箱の中に収納されてあり、受取人が商品カードの中から好みの商品を選び、商品番号を申し込み葉書に記載して申し込むタイプのもの。いま１つは、個別の商品カードでなく、各種の商品が掲載されているカタログを冊子として製本したタイプのもの、あるいは、カバー体に綴じられた多くの透明袋体に商品カードが収納されているタイプのカタログ式ギフトアルバムがある（例えば、特許文献１）。
【０００５】
【特許文献１】登録実用新案第３０９８２９６号公報
【考案の開示】
【考案が解決しようとする課題】
【０００６】
しかしながら、上記の個別カードタイプのものは、あまり嵩張らない利点はあるが、商品選択時に、何回も見ているうちに散らかることがあり選び難いという欠点がある。また、カタログを冊子にした製本タイプのものは、低価格から高価格までの価格ごとに各種の商品を幅広く揃えて掲載してあることから、掲載品数が多くなり、冊子が分厚くなって取り扱い難いばかりでなく、重くなり郵送費が高くなるといった欠点がある。さらに、透明袋体に商品カードを収納するアルバムタイプのものは、商品カードをいちいち透明袋体に収納しなければならない煩わしさがある。
【０００７】
これら従来のカタログ式ギフトは、受取人が商品を選んだ後は不要となることから、そのまま破棄したり、カタログを冊子にした製本タイプのものは、破棄し難く古新聞や雑誌などと一緒に廃品回収業者に出すか、あるいは可燃ゴミとして焼却することになるが、焼却すると有害ガスなどの発生で大気汚染するだけでなく、資源の無駄使いと共に、焼却炉の劣化を促進することにもなり、少しでもゴミを減らして地球環境に優しい社会にしなければいけなことに反しており、解決策が望まれている。
【０００８】
本考案は、上記の問題点を解決することを課題として開発されたもので、カタログ式ギフトにより商品を選んだ後において、ルーズリーフバインダーをそのまま利用して、スケジュール手帳やアドレス手帳など各種の手帳の他に、名刺入れやアルバムとして有効に再利用できるカタログ式ギフトファイルを提供することを目的とするものである。
【課題を解決するための手段】
【０００９】
上記の課題を解決し、その目的を達成する手段として、本考案は、商品の写真や絵などの表示部、商品説明などの情報記載部および申し込み番号などが印刷された複数枚の商品カードと、その商品カードが脱着自在に綴じるルーズリーフバインダーとで構成されたカタログ式ギフトファイルであって、ルーズリーフバインダーが皮革製または合成皮革製であり、商品選択後、商品カードを所望のリファイルに差し替えるように構成したことを特徴とするカタログ式ギフトファイルを開発し、採用した。
【００１０】
また、上記のように構成したカタログ式ギフトファイルにおいて、前記ルーズリーフバインダーは、表表紙に透明の窓部を設けてあることを特徴とするカタログ式ギフトファイル、および前記リファイは、ノートリファイル、スケジュールリファイル、ダイアリーリファイル、メモリファイル、アドレスリファイルなどの帳票類であることを特徴とするカタログ式ギフトファイル、および前記リファイルは、名刺、写真、各種カードなどを収納する袋部を設けたカードホルダーリファイルであることを特徴とするカタログ式ギフトファイルを開発し、採用した。
【考案の効果】
【００１１】
請求項１によれば、商品カードをバインダーにより脱着自在としたから、常に鮮度の高い、流行の商品を不定期に綴じ込むことができると共に、反対に人気のない商品も不定期に外すことができ、常にその時の要望にあった厳選商品の取り入れが可能になる。また、メーカーの都合による仕様・デザインの変更や品切れ時に即時対応でき、消費者の混乱を防ぐことができる。さらに、ルーズリーフバインダーは、皮革製または合成皮革製であって、高級感と重厚感があって廃棄したりすることがなくなり、そのまま再利用できると共に、商品カードを所定のリファイルに差し替えれば手帳などとして再利用可能になる。
【００１２】
請求項２によれば、請求項１の効果に加えて、ルーズリーフバインダーの表表紙に透明の窓部を設けてあるから、商品カードの表紙の内容が外部から見えて表表紙を開かなくても分かる便利性がある。
【００１３】
請求項３によれば、請求項１、２の効果に加えて、カタログ式ギフトとしての終了後、ルーズリーフバインダーはそのまま使用し、商品カードを、ノートリファイル、スケジュールリファイル、ダイアリーリファイル、メモリファイル、アドレスリファイルなどの帳票類に差し替えることにより各種の手帳として再利用できる。
【００１４】
請求項４によれば、請求項１、２の効果に加えて、カタログ式ギフトとしての終了後、ルーズリーフバインダーはそのまま使用し、名刺、写真、各種カードなどを収納する袋部を設けたカードホルダーリファイルに差し替えることによりカードホルダーとして再利用できる。
【考案を実施するための最良の形態】
【００１５】
以下に、本考案の実施の形態を添付図面に基づいて説明すれば、本考案に係るカタログ式ギフトファイル１は、ルーズリーフバインダー２と、そのルーズリーフバインダー２に綴じられる複数枚の商品カード３と、リファイル４とで構成されている。
【００１６】
前記のルーズリーフバインダー２は、Ｂ６版サイズ用の小型のもので、表面を皮革または合成皮革などで革張りした高級感と重厚感を有しており、表表紙５と背表紙６と裏表紙７からなり、表表紙５の上方部に透明の窓部８を設けてある。また、背表紙６の内面長さ方向にバインダー９が取り付けられている。このバインダー９は上下部に操作部１０，１０を設けてあり、この操作部１０，１０を押圧することによりバインダー９に取り付けられたリング綴じ具１１，１１………１１が開くようになっている。
【００１７】
前記の商品カード３は、図３に示すように、一側辺の上下に３個ずつの孔１２，１２，１２が穿設されており、前記リング綴じ具１１，１１………１１によって綴じられるようになっている。商品カード３の表面の上部には、商品の写真や絵などの表示部１３、表面の下部には商品の説明などの情報記載部１４と商品の申し込み番号１５が印刷されている。
【００１８】
前記のリファイル４は、市販されている各種のリファイル、例えば、スケジュールリファイル、アドレスリファイル、ノートリファイルなどの帳票類４ａの他、名刺、写真、各種カードなどを収納できる袋部１６を有するカードホルダーリファイル４ｂなどであり、前述の商品カード３と同じように、一側辺の上下に３個ずつの孔１２，１２，１２が穿設されており、前記リング綴じ具１１，１１………１１によって綴じられるようになっている。
【００１９】
このように構成された本考案の実施形態の使用例を作用、効果と共に説明すれば、ルーズリーフバインダー２の内部に複数枚の商品カード３がバインダー９のリング綴じ具１１によって綴じられており、バインダー９の上下部の操作部１０，１０を押圧することによりリング綴じ具１１，１１………１１が開き、新たな鮮度の高い商品のカード３を差し込んだり、あるいは人気のない商品のカード３を抜きだすことが簡単にでき、その時にあった厳選商品の取り入れが可能になる。
【００２０】
そして、例えば、結婚のお祝いのお返しとして使用するには、図６，図７に示すように、カタログ式ギフト用ファイル１を収納箱１７内に収めると共に、蓋覆い片１８の内面側に申し込み葉書１９を挟んだ状態として送り先に送付する。ギフト受取人は収納箱１７からカタログ式ギフト用ファイル１を取り出し、綴じられた商品カード３の中から所望の商品を選び、その商品の申し込み番号１５を収納箱１７の蓋覆い片１８に挟まれた申し込み葉書１９に記入して、発売元に送付するものである。
【００２１】
商品を選択した段階において、カタログ式ギフトファイル１が不要になるが、図４に示すように、ルーズリーフバインダー２をそのまま用い、商品カード３をスケジュールリファイル４ａに差し替えることにより、スケジュール手帳に再利用できると共に、図５に示すように、名刺入れや写真入れなどの袋部１６を設けたカードホルダーリファイル４ｂに差し替えることにより、名刺入れやアルバムとしても再利用できるものである。
【００２２】
また、ルーズリーフバインダー２は皮革製または合成皮革製であるから、高級感と重厚感があり見栄えもよく、かつ堅牢強固であることから、各種の手帳やアルバムとして再利用でき長期に亘って使用することができるものである。
【００２３】
以上、本考案の主要な実施例について説明したが、本考案はこれらの実施例に限定されるものではなく、例えば、前記実施の形態のスケジュールリファイルをアドレスリファイルやノートリファイルなどにすることも可能であり、要するに、本考案の目的を達成でき、かつ考案の要旨を逸脱しない範囲内で種々設計変更が可能であり、それらも全て本考案の範囲内に包含されるものである。
【産業上の利用可能性】
【００２４】
本考案は婚礼や出産の内祝いの品として、また、出産、入学、卒業、就職など節目のお祝いごとから新築祝いや快気祝いなど慶事のさまざまなお祝いのお返しの贈り物、あるいは各種コンペ、イベントでの賞品や記念品としても利用でき、さらに葬儀の香典返しや法要の引出物など弔事の返礼品などとして利用できるばかりでなく、商品選択後においては、各種の手帳や名刺ホルダーやカード入れに再利用できるものである。
【図面の簡単な説明】
【００２５】
【図１】本考案のカタログ式ギフトファイルの斜視図である。
【図２】表表紙を開いたカタログ式ギフトファイルの斜視図である。
【図３】商品カードの正面図である。
【図４】スケジュール手帳とした状態の斜視図である。
【図５】名刺入れとした状態の斜視図である。
【図６】収納箱からカタログ式ギフトファイルを取り出し、かつ蓋片を開いて申し込み葉書を現した状態の斜視図である。
【図７】収納箱の斜視図である。
【符号の説明】
【００２６】
１    カタログ式ギフトファイル
２    ルーズリーフバインダー
３    商品カード
４    リファイル
４ａ  帳票類
４ｂ  カードホルダーリファイル
８    透明の窓部
１３  写真、絵などの表示部
１４  説明などの情報記載部
１５  申し込み番号
【図１】
0003125541.tif 000003
【図２】
0003125541.tif 000004
【図３】
0003125541.tif 000005
【図４】
0003125541.tif 000006
【図５】
0003125541.tif 000007
【図６】
0003125541.tif 000008
【図７】
0003125541.tif 000009